(57)【要約】      （修正有）【課題】高出力性のＬＥＤを有するランプが、光損失無しに、または耐用期間の減少無しに、可能な限り高い電力の供給のもとで作動されるようにする。【解決手段】０．５Ｗ以上、有利には５Ｗの高い光出力を有するＬＥＤ１０が設けられている。このランプは、ガラス球１１、並びに、金属の螺旋ねじ山１２を備えており、この螺旋ねじ山が、その上にダイオード１０が設けられている、プレート状の本体１３と結合状態にある。口金１２は、中央の穿孔１４を有する金属本体として形成され、冷却用として機能している。【選択図】図２
0003115844.tif 000002
【実用新案登録請求の範囲】
【請求項１】
口金（１２）、および少なくとも１つの発光ダイオード（１０）（ＬＥＤ）を有するランプにおいて、口金（１２）が、冷却体として形成されていることを特徴とするランプ。
【請求項２】
口金（１２）は、規格化された螺旋ねじ山を有しており、または、バヨネット結合部の部材として形成されていることを特徴とする請求項１に記載のランプ。
【請求項３】
口金（１２）内に、変圧器が一体にまとめられていることを特徴とする請求項１または２に記載のランプ。
【請求項４】
金属条片のような、付加的な冷却要素が、熱導出のために、口金（１２）と結合されていることを特徴とする請求項１から３のいずれか一つに記載のランプ。
【請求項５】
ＬＥＤ（１０）は、高い熱伝導率を有する物体を介して、口金（１２）と結合されていることを特徴とする請求項１から４のいずれか一つに記載のランプ。
【請求項６】
口金（１２）は、付加的に、冷却リブ（１５）、及び／または穿孔（２０、２１）を有していることを特徴とする請求項１から５のいずれか一つに記載のランプ。
【請求項７】
口金は、多部材より成る状態で、互いの中へねじ留め可能な、または互いの中へ挿入可能な部材から成っていることを特徴とする請求項１から６のいずれか一つに記載のランプ。
【考案の詳細な説明】
【技術分野】
【０００１】
本考案は、口金、および少なくとも１つの発光ダイオード（ＬＥＤ）を有するランプ関する。
【背景技術】
【０００２】
通常のグロー電球は、使用されたエネルギーが、相当の部分、熱エネルギーへと変換され、且つ従って、本来の目的のために役立たないという欠点を有している。放射出力を放棄する必要無しに、エネルギー消費量を低減するための集中的な開発は、先ず始めに、蛍光灯を誘起し、これら蛍光灯が、先ず始めに蛍光管として、および最近時において同様に規格ねじ口金を有しても提供されている。これら蛍光灯の欠点は、これら蛍光灯が、高い始動電圧を、および、適当な制御信号を、光を発生する気体放電の維持のために必要とすることにある。この構造様式は、比較的に大きい。更に加えて、このランプは、スイッチを入れた後、この気体放電が最大限に可能な定格光度に達するまでに、比較的に長い時間を必要とする。
【０００３】
照明の目的のために、従って、ハロゲンランプが開発され、これらハロゲンランプは、前記の蛍光灯とは対照的に、コンパクトに構成され、且つ、比較的にコストが安い。これらランプは、低電圧領域内において（例えば１２Ｖにおいて）作動される。しかしながら同様に、このようなハロゲン放射体の効果的な発光効率（Lichtausbeute）は、比較的に僅かである。
【０００４】
著しい経済的な利点を有する、発光ダイオードが、救済策を提供する。僅かなエネルギー消費量、および長い耐用期間は卓越しており、この耐用期間にわたって、このＬＥＤランプは、メンテナンスフリーに作動され得る。ＬＥＤは、それに加えて、同様に極めて小さな構造様式をも許容する。特に従って、ＬＥＤは、多くの照明器具内において使用され、これら照明器具から、懐中電灯並びに居住空間用ランプが、ただ例示的にだけ挙げられるべきである。従来技術により通例の、１つのＬＥＤの構造様式は、基板上でのはんだ接合され、この基板が、同様に電圧もしくは電流案内コンポーネントをも備えている。一般的に、発光ダイオードが、作動の間じゅう、ただ僅かの加熱だけを被るにもかかわらず、新しい高性能高出力のＬＥＤは、比較的に高い発光効率の発生を許容し、この発光効率がしかしながら比較的に高い電流を引き起こし、従ってこれによって供給される熱エネルギーが、付加的なはんだ接触部を介して、または冷却体を介して放出されねばならない。これらＬＥＤは、温度への光束の強度の依存関係を示す。雰囲気、もしくはＬＥＤ支持体がより冷たくなればなるほど、このＬＥＤはより効率良くなる。ＬＥＤランプ本体内における熱滞留は、それに加えて、高い温度がこのＬＥＤの出力を永続的に低下させ、且つこのＬＥＤの耐用期間を低減するという理由からも不都合である。通例の冷却体は、偏平体から、または冷却リブを備え付けるハウジングから成り、その際、冷却の度合いが、冷却される表面積、および冷却体の熱伝導率に依存する。付加的に使用される冷却体は、しかしながら、このランプのデザインに不利な影響を与える。
このような様式の装置に関して、記載すべき先行技術文献情報はない。
【考案の開示】
【考案が解決しようとする課題】
【０００５】
従って、本考案の根底をなす課題は、冒頭に記載した様式のランプを、この高出力性のＬＥＤを有するランプが、光損失無しに、または耐用期間の減少無しに、可能な限り高い電力の供給のもとで作動されるように、更に発展させることである。
【課題を解決するための手段】
【０００６】
この課題は、口金、および少なくとも１つの発光ダイオードを有するランプによって解決され、このランプの場合、本考案に従い、この口金が冷却体として形成されている。一つまたは同様に多数の発光ダイオードを有するＬＥＤランプ口金は、確かに従来技術により公知であるが、しかしながら、このランプ口金が、単に、固定部として、および電圧供給装置への導線との接触子短絡部として使用される。高出力状態の発光ダイオードを有するこのようなＬＥＤランプが販売される限りは、大抵の場合、冷却リブを備え付けられている冷却体、または、その他の、ＬＥＤ基板と結合された金属条片が必要である。ランプ口金は、いずれにしても、金属体として形成されているので、このランプ口金の熱伝導率は、本考案により、最適に利用されるべきである。
【考案の効果】
【０００７】
この口金は、特に、規格化された螺旋ねじ山として、例えばＥ１４ねじ山（E14-Gewinde）またはＥ１７ねじ山として、または同様に、バヨネット結合部の部材として形成されていることは可能である。
【０００８】
この口金内に、変圧器が一体にまとめられている場合、ランプは、上記口金の代わりに、従来の公共配電電圧を供給されるソケットを介して作動される。
【０００９】
必要の場合には、金属条片のような、付加的な冷却要素が、熱導出のために、口金と結合されており、このことは、その場合に、冷却性能の著しい増大の役割を果たす。
【００１０】
本考案の領域内において、冷却体としての口金が、高い熱伝導率を有する物体を介して、ＬＥＤと結合されていることも可能である。このような物体は、ピン形状、中空ロッド状、薄板形状に、または同様にパーフォレーションを付けられた格子状の物体として形成されている。本考案の更に別の実施形態により、この冷却体としての口金は、付加的な冷却リブ、及び／または穿孔を備えている。この構成は、雰囲気に対する高い熱放射率を可能とするために、冷却体表面積を拡大する役割を果たす。要するに、この口金は、同様に互いの中へ挿入またはねじ留めされている、多数の部材から成っていても良い。
【００１１】
次に、本考案の更なる実施形態、並びに利点を、図に基づいて説明する。
【考案を実施するための最良の形態】
【００１２】
付図において図示された場合において、久しい以前から公知の、ねじ付き口金を有する白熱電球形状が与えられている。もっとも、この白熱電球の内部において、その通電の際に白熱状態になる、従来の通電されるタングステンフィラメントは設けられていなく、むしろ、例えば０．５Ｗ以上、有利には５Ｗの高い光出力を有するＬＥＤ１０が設けられている。このランプは、その他の点では公知のガラス球１１、並びに、金属の螺旋ねじ山１２を備えており、この螺旋ねじ山が、その上にダイオード１０が設けられている、プレート状の本体１３と結合状態にある。特に図２から見て取れるように、口金１２は、中央の穿孔１４を有する金属本体として形成されている。
【００１３】
図４は、原則的には、１つの適当な実施形態を図示しており、この実施形態の場合、同じ部材は同じ参照符号を備えている。付加的に、口金１２は、この口金の上側のガラス球１１内に含まれている領域内において、熱放出の役目を果たす表面積を増大するために、更に冷却リブ１５を備えている。
【００１４】
図５は、１つの配設を示しており、この配設の場合、口金１２が、アーム部２６と結合されており、このアーム部の、自由な、Ｌ字形の脚部に、発光ダイオード１０が配設されている。
【００１５】
口金は、しかしながら、フル成形体、もしくは、１つの部材から成る本体として形成されているのではなく、むしろ、図６および７内における図示に相応して、同様に多数の部材から、即ち、外側でのように内側にねじ山を有して形成されたスリーブ１６、外側ねじ並びにロッド形状の本体１８を有するシリンダー体１７、および、円板１９から成り、これら円板の上に、ダイオード１０が備えられている。図７内において分解図において図示された実施形は、容易な方法で、このダイオード１０の交換を可能にする。この目的で、ガラス球１１は取り外され、且つ、部材１７から１９および１０が１つのユニットを形成している限りは、シリンダー体１７がねじって抜き取られ、且つ、代替体によって置き換えられ、または、選択的にシリンダー体１７内における筒体１８の差込み結合部が解離される。もちろん、この口金は、同様にバヨネット結合具、または簡単な差込み結合具としても形成されることは可能であり、その際、それぞれに、本考案による熱伝導状態の結合が、ダイオードに対して提供される。事情によって、５Ｗ、またはそれ以上の高出力ダイオードの場合、更に付加的な冷却薄板が、極めて大きな冷却作用を熱放出によって高めるために、この口金と結合される。
【００１６】
同様の目的、即ち、良好な冷却作用を達成することを、長手方向穿孔２０（図３を参照）、または横方向穿孔２１（図２、および５を参照）が生じさせ、これら長手方向穿孔および横方向穿孔は、総じて、同様に図４による実施形態のように、その冷却体表面を介して熱が放出される該冷却体表面が増大されることを生じさせる。冷却体が、中実の口金としてではなく、同時に、ＬＥＤもしくはＬＥＤ基板の支持体でもない限りは、このような発光ダイオード、もしくはこのような基板は、同様に良好な熱伝導率を有する、留めピン、テープ、薄板、またはその他の物体を介して、この冷却体としての口金と結合されている。同様にこのような実施形態は、ＬＥＤの良好な熱放出を許容し、この熱放出でもって、加熱が防止される。
【００１７】
場合によっては有り得る冷却リブ、並びに穿孔において、特に熱放出する気流を促進するような実施形態は有利である。従って、特に、袋穴穿孔よりもむしろ貫通する穿孔が選ばれるべきである。
【図面の簡単な説明】
【００１８】
【図１】ランプの側面図である。
【図２】線Ａ−Ａに沿っての、図１によるランプの断面図である。
【図３】冷却体の平面図である。
【図４】図２によるランプのための、それぞれに選択的な実施形態である。
【図５】図２によるランプのための、それぞれに選択的な実施形態である。
【図６】更に別の実施形態でもっての、図１による、線Ａ−Ａに沿っての断面図である。
【図７】そのＬＥＤの保持部並びに冷却体を有する、ＬＥＤの分解図である。
【符号の説明】
【００１９】
１０  ＬＥＤ、  発光ダイオード
１１  ガラス球
１２  口金、  螺旋ねじ山
１３  プレート状の本体
１４  中央の穿孔
１５  冷却リブ
１６  スリーブ
１７  シリンダー体
１８  ロッド形状の本体、  筒体
１９  円板
２０  長手方向穿孔
２１  横方向穿孔
２６  アーム部
【図１】
0003115844.tif 000003
【図２】
0003115844.tif 000004
【図３】
0003115844.tif 000005
【図４】
0003115844.tif 000006
【図５】
0003115844.tif 000007
【図６】
0003115844.tif 000008
【図７】
0003115844.tif 000009